(57)【要約】【課題】  ドアの支持荷重を上下各蝶番で均等に分担できるようにした。【解決手段】  下部の第１の蝶番片１４の支持ブロック２２上にヒンジピン２８を突設し、上部の第２の蝶番片１８のヒンジつぼ４６下面のピン孔４８にヒンジピン２８を挿通し、ヒンジピン２８の外周部に雄ネジ部２６を形成し、支持ブロック２２に形成したピン挿通用ネジ孔２４に上下動自在に螺合し、ヒンジピン２８の支持ブロック２２からの突出高さを螺回調整自在とした。【選択図】      図１
2005105678.tif 000002
【特許請求の範囲】
【請求項１】
取付板の一側部に一体化された支持ブロック上にヒンジピンを突設した第１の蝶番片と、取付板の一側部にヒンジつぼを一体化し、ヒンジつぼには一面開口するピン孔を形成した第２の蝶番片とからなり、前記ピン孔に前記ヒンジピンを挿通することで蝶番として機能させた抜き差し型蝶番において、
前記支持ブロックの上下を貫通するピン挿通用ネジ孔を形成するとともに、前記ヒンジピンの外周部における少なくとも支持ブロックに対する挿通位置に前記ネジ孔に螺合する雄ネジ部を形成し、ヒンジピンを螺回調整させることにより、ヒンジピンの支持ブロックに対する突出長さを調整自在としたことを特徴とする抜き差し型蝶番。
【請求項２】
請求項１において、前記ヒンジピンの一端面に回転用治具と連結するネジ頭部を形成したことを特徴とする抜き差し型蝶番。
【請求項３】
請求項１において、前記支持ブロックのピン挿通用ネジ孔と直交して止めネジ孔を形成し、この止めネジ孔に前記ヒンジピンのロック用止めネジを挿通することを特徴とする抜き差し型蝶番。
【請求項４】
ドアの一側部とドア枠の間に介在される抜き差し型蝶番は少なくとも上下一対であり、このうちの一方または双方を請求項１乃至３の何れか１項に記載の抜き差し型蝶番で構成したことを特徴とするドアの蝶番構造。
【請求項５】
ドアの一側部とドア枠の間に介在される抜き差し型蝶番は少なくとも上下一対であり、このうちの上部を請求項１乃至３の何れか１項に記載の抜き差し型蝶番で構成し、下部側をヒンジピン固定式の抜き差し型蝶番で構成したことを特徴とするドアの蝶番構造。
【発明の詳細な説明】
【技術分野】
【０００１】
本発明は、抜き差し型蝶番に関し、特にヒンジピンの突出高さを上下調整可能とした上下調整式抜き差し型蝶番及びこれを用いたドアの蝶番構造に関する。
【背景技術】
【０００２】
図４に示すように、開閉式ドア１００の一側部とドア枠１０１の内側には少なくとも上下一対の蝶番１０２が介在され、ドア１００をドア枠１０１内に開閉可能に支持している。
【０００３】
蝶番１０２としては各種形式があるが、従来のヒンジピン固定式抜き差し型蝶番１０２は、図５（ａ）に示すごとく、蝶番下部１０３と蝶番上部１０４とに分離可能としたもので、蝶番下部１０３は取付板１０３ａの一側部に一体化された筒形支持ブロック１０３ｂ上にヒンジピン１０３ｃを突設したものであり、蝶番上部１０４は取付板１０４ａの一側部に筒形ヒンジつぼ１０４ｂを一体化し、これの下面に開口したピン孔１０４ｂを形成したものである。
【０００４】
そして、取付板１０３ａをドア枠２の内側にネジ止めする一方で、取付板１０４ａをドア１の一側部にネジ止めし、ヒンジピン１０３ｃにピン孔１０４ｃを挿通することで、（ｂ）に示すように、蝶番１０２として機能させている。
また、ヒンジピン１０３ｃの周囲には支持ブロック１０３ｂとヒンジつぼ１０４ｂとの間に介在されるスペーサ及びスラスト荷重支持兼用のワッシャ１０５を介在させ、ヒンジピン１０３ｃの先端にはボールベアリング１０６を配置することで、ピン孔５ｃの奥部接触端に対する摩擦を軽減し、回転の円滑化及び耐久性を向上させている。
【０００５】
以上の固定式抜き差し型蝶番１０２は、ピンを双方の蝶番片に設けた共通のヒンジつぼに挿通したタイプの一般的蝶番などに比べて構造が簡単で、取付取り外しも簡単である。
【発明の開示】
【発明が解決しようとする課題】
【０００６】
この構造において、固定式抜き差し型蝶番１０２に加わる支持荷重は、ドアの全荷重をＷとすると、上下２個の蝶番を正確に取り付けた場合には個々の蝶番が分担する荷重は、１／２Ｗであり、モーメントは上側蝶番に対しては引っ張り力として作用し、下側蝶番に対しては圧縮力として作用する。
【０００７】
しかしながら、当初の取付位置が不正確であった場合や、不陸などが生じた場合には、いずれか一方のヒンジピン１０３ｃの先端がピン孔１０４ｃの奥部に接触することがなく連結されるため、他方の蝶番のみに大きな荷重が加わり、支持強度が双方の蝶番でアンバランスとなり、耐久性低下要因となっていた。
【０００８】
またピン非接触側においては、主に支持荷重をワッシャ１０５で受けることになるが、ワッシャ１０５そのものはデルリン、ジュラコンなどの硬質プラスチックからなるものであるため、これらの摩耗変形によって時間経過とともに動きが悪くなり、同じく耐久性低下の要因となっていた。
【０００９】
本発明は、以上の課題を解決するためになされたものであり、その目的はヒンジピンを高さ調整可能に設けることで、取付誤差などによるピン孔奥部に対する非接触をなくし、ドアの支持荷重を各蝶番で均等に分担できるようにした上下調整式抜き差し型ドア蝶番及びこれを用いたドアの蝶番構造を提供するものである。
【課題を解決するための手段】
【００１０】
前記目的を達成するため、本発明の上下調整式抜き差し型蝶番１０は、実施の形態に係る図１乃至図３にも示されるように、取付板２０の一側部に一体化された支持ブロック２２上にヒンジピン２８を突設した下部の第１の蝶番片１４と、取付板４４の一側部にヒンジつぼ４６を一体化し、ヒンジつぼ４６には下面に一面開口するピン孔４８を形成した上部の第２の蝶番片１８とからなり、前記ピン孔４８に前記ヒンジピン２８を挿通することで蝶番として機能させた抜き差し型蝶番において、前記支持ブロック２２の上下を貫通するピン挿通用ネジ孔２４を形成するとともに、前記ヒンジピン２８の外周部における少なくとも支持ブロック２２に対する挿通位置に前記ピン挿通用ネジ孔２４に螺合する雄ネジ部２６を形成する。第１の蝶番片１４の取付板４４をドア枠の内側またはドアの一側部の一方に固定し、第２の蝶番片１８の取付板４４をドアの一側部またはドア枠の内側の他方に固定させる。ヒンジピン２８を螺回調整させることにより、ヒンジピン２８先端の支持ブロック２２に対する突出高さ、すなわち、ピン孔４８に対する挿入長さを調整自在とする。
【００１１】
また本発明は、前記ヒンジピン２８の下端の一端面に回転用治具３２と連結する溝或いは角形凹部よりなるネジ頭部３４を形成したことを特徴とする。
【００１２】
さらに本発明は、前記支持ブロック２２のピン挿通用ネジ孔２４と直交して止めネジ孔３８を形成し、この止めネジ孔３８に前記ヒンジピン２８のロック用止めネジ４０を挿通することを特徴とする。このロック用止めネジ孔４０の形成位置は、ドア閉鎖位置において、外部（屋外）からは視認不可能かロック用止めネジ４０の回転操作用治具（レンチ）の操作不可能な位置であって、ドアの開放位置で屋内側の外方に露出する位置とすることが望ましい。
【００１３】
本発明のドアの蝶番構造は、ドアの一側部とドア枠の間に介在される抜き差し型蝶番は少なくとも上下一対であり、このうちの一方または双方を上下調整式抜き差し型蝶番１０で構成したことを特徴とする。
【００１４】
さらに本発明の蝶番構造は、ドアの一側部とドア枠の間に介在される抜き差し型蝶番は少なくとも上下一対であり、このうちの上部を上下調整式抜き差し型蝶番１０で構成し、下部側をヒンジピン固定式抜き差し型蝶番１０２で構成したことを特徴とする。
【発明の効果】
【００１５】
本発明においては、ヒンジピン２８を回転させることにより、そのネジピッチに応じて突出高さ調整が可能となり、これによりヒンジピン先端が確実にピン孔４８奥部に接触することでドアの荷重支持が適切に行え、上下の蝶番で均等にドアの荷重を受けることができるため、蝶番の長寿命化を図ることが出来る。
【００１６】
本発明においては、蝶番の取付後に外部から回転治具３２をネジ頭部３４に連結して回転させることで、ヒンジピン２８の支持ブロック２２に対する上下調整が可能であり、その調整が容易である。
【００１７】
また、ロック用止めネジ４０を締めることにより、ドア開閉を繰り返すことによるネジのゆるみや回転がなく、調整位置に適切にロックできる。
ロック用止めネジ４０を、屋内側であって、ドア開放位置においてのみ外方に露出する位置に設けることにより、ネジロックの操作がドア解放時のみ可能となり、防盗上好ましい。
【００１８】
上下２つの蝶番のうち少なくとも一方を上下調整式とすることで、調整に応じてドア荷重を均等に分担できる。２つとも上下調整式とした場合には、調整範囲が広がる。
【００１９】
また、第１の蝶番片１４を下部側とし、これをドア枠に取付、第２の蝶番片１８を上部側としこれをドア一側端面に固定した場合において、下部側蝶番を上下調整式にすることで、下部側からヒンジピン２８のネジ頭部３４に回転治具３２を差し込んで回転させることができるため、取付後の調整作業が簡単である。
【発明を実施するための最良の形態】
【００２０】
図１は本発明に係るドアの蝶番構造を示す一部省略の側部断面図、図２（ａ），（ｂ）はドアの開閉状態における図１のＡ−Ａ線における平断面図、図３（ａ）〜（ｃ）は同蝶番構造に用いる上下調整式抜き差し型蝶番の詳細構造を示す斜視図である。
【００２１】
なお、図１において、下部側の抜き差し型蝶番は上記従来と同じヒンジピン固定式抜き差し型蝶番１０２であり、前記図５と同一符号を付しその説明を省略する。
【００２２】
これに対し、上部側の蝶番は本発明にかかる上下調整式抜き差し型蝶番１０であり、ドア枠１２の内側に固定される第１の蝶番片１４、すなわち蝶番下部と、ドア１６の一側端面に固定される第２の蝶番片１８、すなわち蝶番上部とに２分割構成されている。
【００２３】
下部の第１の蝶番片１４は、ドア枠１２の内側に複数のビスを介して固定される取付板２０と、取付板２０の一側部に一体化された筒形支持ブロック２２と、支持ブロック２２の上下を貫通して形成されたピン挿通用ネジ孔２４にねじ込まれる雄ネジ部２６を下半部外周に形成したヒンジピン２８を備えている。
【００２４】
ヒンジピン２８の先端にはボールベアリング３０がその上半球を露出した状態で回転可能に支持され、またヒンジピン２８の下端面をネジ頭部３４とし、ドライバーやレンチなどの回転治具３２（実施例では図３に示す六角ドライバー）に結合する溝、又は円形以外の角孔（実施例では六角穴）が形成され、さらに側面の一部には雄ネジ部２６の一部を縦に切った状態で縦長のロック溝３６が刻設されている。
【００２５】
さらに、支持ブロック２２には、図２（ａ）に示すドア１６の解放時において、屋内の外方から視認でき、かつ操作可能な位置に前記ピン挿通用ネジ孔２４に直交して止めネジ孔３８が形成され、この止めネジ孔３８にホーローネジ（いもネジ）よりなるロック用止めネジ４０をねじ込み、前記ロック溝３６内において、ヒンジピン２８の側部に当接することで、ヒンジピン２８を調整高さ位置にロックしている。
【００２６】
この止めネジ孔３８はドア閉止時においては図２（ｂ）に示すように、外方からは視認不可能か、あるいは一部見えたとしても、ロック用止めネジ４０の回転操作用Ｌ型六角レンチよりなる治具４２（図３参照）が入らない位置であるため、防盗対策として好ましいものとなる。
【００２７】
上部の第２の蝶番片１８は、従来と同様の構造であって、ドア１６の一側端面に複数のビスを介して固定される取付板４４と、取付板４４の一側部に一体化されたヒンジつぼ４６と、ヒンジつぼ４６に形成され、かつ下面開口したピン孔４８とからなり、ワッシャ５０を介して前記ヒンジピン２８にピン孔４８を嵌合することで下部の第１の蝶番片１４に対して回動可能に連結される。
【００２８】
図３（ａ），（ｂ）に示すように、前記回転用治具３２は大径の六角レンチをドライバー形握りの先端に突設したものを用い、これの握りを持ちながら、その先端をヒンジピン２８の底面に形成された六角穴よりなるネジ頭部３４に係合し、回転させることで支持ブロック２２にねじ込み高さ調整を行うため、狭隘な場所での高さ調整作業を簡単に行えるようにしている。
【００２９】
なお本実施の形態では、六角穴と六角レンチの結合によりヒンジピン２８を回転操作しているが、他のドライバー溝とドライバーとの係合や、一般のねじ回し器具では回転操作できない専用の回転治具との結合によって回転操作することもできる。
また、本実施の形態では、ロック用止めネジ４０としてホーロネジ（いもネジ）を用い、この先端に係合する部分としてヒンジピン２８の一部にロック溝３６を予め縦方向に一箇所刻設している。
これは、ロック用止めネジ４０の先端が環状エッジであり、これの先端が雄ネジ部２６に触れるとネジ山をつぶし、囓り込みが生ずるおそれがある反面、１ピッチの回転による移動調整量はわずかであるため、ロック溝３６をロック用止めネジ４０に度当たりする位置に位置させたとしても調整量に及ぼす影響はごくわずかであるからである。
但し、ピッチ分の調整量をさらに微細にしたい場合には周囲複数箇所にロック溝３６を形成してもよいことも勿論である。
【００３０】
以上の構成において、下部側の固定式抜き差し型蝶番１０２を基準として図１に示すごとく上部側の上下調整式抜き差し型蝶番１０を取り付けた状態で、図中想像線で示すごとくヒンジピン２８の位置が低すぎて先端ボールベアリング３０がピン孔４８の奥部に接触していないと判断されたら、ロック用止めネジ４０をゆるめ、回転用治具３２によりヒンジピン２８を回転させて上昇させると、実線で示すごとくボールベアリング３０はピン孔４８奥部に接触し、ドアの荷重を下部側の固定式抜き差し型蝶番１０２とともに均等に分担する。
この状態はボールベアリング３０の接触により回転用治具３２の回転トルクが急速に上昇することを感知することで容易に認識できる。また高さが高すぎると上部側の上下調整式抜き差し型蝶番１０だけでドアの全荷重を支持することになり、さらに回転トルクが上昇することが感知されるので、その分逆側に回転することで、均等となる位置を容易に設定できる。
その後はロック用止めネジ４０を締め付けることによって調整高さを常時一定に保つことができる。
【００３１】
なお以上の実施の形態では、ドアに設ける蝶番を二組とし、下部側の蝶番を固定式抜き差し型蝶番とし、上部側蝶番を上下調整式抜き差し型蝶番とし、下部側を基準として調整可能としたが、逆の配置でもよいし、双方とも上下調整式とすることもできる。
下部側蝶番の下方からの調整操作は実質的にはできないが、逆配置とした場合には、前記とは逆の取付構造、すなわち第２の蝶番片１８を下部側としてドア枠に固定し、第１の蝶番片１４を上部側としてドアの側端面に固定すれば、調整可能な状態に固定することができる。
また双方とも上下調整式とする場合には、下部側だけ逆の取付構造とすればよい。この場合には上下で調整できるため、調整量を二倍に取ることができる。
さらに三つ以上の蝶番を設ける場合には、一つのみを固定式として、残りの中間部及び上部を上下調整式とすればよい。
【産業上の利用可能性】
【００３２】
開閉式ドア、開閉式窓、その他開閉式建具一般に適用可能である。
【図面の簡単な説明】
【００３３】
【図１】発明に係るドアの蝶番構造を示す一部省略の側部断面図である、
【図２】（ａ），（ｂ）はドアの開閉状態における図１のＡ−Ａ線における平断面図である。
【図３】（ａ）〜（ｃ）は同蝶番構造に用いる上下調整式抜き差し型蝶番の詳細構造を示す分解斜視及び組立状態の斜視図である。
【図４】開閉式ドアの一般構造を示す正面図である。
【図５】（ａ），（ｂ）は従来の固定式抜き差し型蝶番の分解及び組立状態を示す斜視図である。
【符号の説明】
【００３４】
１０  上下調整式抜き差し型蝶番
１２  ドア枠
１４  第１の蝶番片
１６  ドア
１８  第２の蝶番片
２０  取付板
２２  支持ブロック
２４  ピン挿通用ネジ孔
２６  雄ネジ部
２８  ヒンジピン
３２  回転用治具
３４  ネジ頭部
３６  ロック溝
３８  止めネジ孔
４０  ロック用止めネジ
４２  治具
４４  取付板
４６  ヒンジつぼ
４８  ピン孔
１０２  固定式抜き差し型蝶番
【図１】
2005105678.tif 000003
【図２】
2005105678.tif 000004
【図３】
2005105678.tif 000005
【図４】
2005105678.tif 000006
【図５】
2005105678.tif 000007